(57)【要約】【課題】滑り止め効果が高く、操作性に富むグリップを備える釣竿を提供する。【解決手段】この釣竿の元竿１のリールシート５付近にはグリップ片１０が装着されている。このグリップ片１０は元竿１の軸方向に間隔を隔てて並列する複数の屈曲自在な襞１０ｂを有している。釣人がこのグリップ片１０ｂを握りしめると、襞１０ｂの間の空気が排出されて釣人の手に襞１０ｂが吸着する。【選択図】　　　図３
2004057035.tif 000002
【特許請求の範囲】
【請求項１】
魚釣りに用いる釣竿であって、
竿体と、
前記竿体周面に配置された吸着部分を有するグリップ部と
を備えた釣竿。
【請求項２】
前記吸着部分は空気溜まりとなる中空部分を有している、請求項１に記載の釣竿。
【請求項３】
前記竿体はリールを脱着自在に装着可能なリールシートを有し、前記グリップ部は前記リールシート付近に配置されている、請求項２に記載の釣竿。
【請求項４】
前記グリップ部は前記竿体の軸方向に伸びる弾性部材であり、前記グリップ部の吸着部分は軸方向に間隔を隔てて軸方向に直交する方向に並列する複数の屈曲自在な襞である、請求項３に記載の釣竿。
【発明の詳細な説明】
【０００１】
【発明の属する技術分野】
本発明は、魚釣りに用いる釣竿に関する。
【０００２】
【従来の技術】
従来の釣竿は、竿体と、竿体の竿元側に配置されリールを装着するためのリールシートを有している。このリールシートの竿元側及び／または穂先側の竿体周面にはグリップが固定されている。このグリップは、例えば、ポリウレタンゴム等の弾性部材やコルク材等からなる略円筒型部材であって、竿体の所定の周面上に接着剤等で固定され、若しくは、竿体に直接射出成型等されて固定されている。釣人はリールシートに取り付けたリールの脚部と共にリールシート及びグリップを把持してキャスティングやリトリーブ等の操作を行い、釣竿を把持する手が軸方向にずれたり周方向にずれたりするのを抑えつつ、魚を釣り上げるのである。
【０００３】
もっとも、このような釣りは水辺で行われるものであり、釣人は魚に触り若しくは水中に手を入れて濡れた手で釣竿を把持する場合も多く滑りやすい。このため、釣竿を把持する際の滑り止め効果をさらに高めるべく、様々な工夫が施されてきた。例えば、特開平１１−２０６２８１号公報には、リールシート付近や竿体の竿元側端部などにグリップ片を装着した釣竿が開示されている。複数のグリップ片を周方向及び軸方向にずらして所定の位置に装着しておくことで、滑り止め効果を高めているのである。
【０００４】
【発明が解決しようとする課題】
しかし、このような従来の釣竿は釣人が求める滑り止め効果やグリップ感を必ずしも満足させるものではない。
本発明の課題は、滑り止め効果が良好であり操作性に富むグリップ部分を有する釣竿を提供することにある。
【０００５】
【課題を解決するための手段】
発明１の釣竿は、魚釣りに用いる釣竿であって、竿体と、竿体周面に配置された吸着部分を有するグリップ部とを備えている。
釣人は、竿体のグリップ部を把持して釣り操作を行う。グリップ部を把持すると吸着部分が釣人の手に吸着してグリップ力を高める。
【０００６】
発明２の釣竿は、発明１の釣竿であって、前記吸着部分は空気溜まりとなる中空部分を有している。
釣りを行う際には、釣人がグリップ部の吸着部分を強く把持して中空部分から排気する。このような排気によって吸着部分が釣人の手に吸着する。
発明３の釣竿は、発明２の釣竿であって、竿体はリールを脱着自在に装着可能なリールシートを有し、グリップ部はリールシート付近に配置されている。
【０００７】
釣人はリールシートに取り付けたリールシートの脚部と共にリールシート付近のグリップ部を把持して釣り操作を行う。このような釣り操作の際に釣人がグリップ部を強く握りしめると、吸着部分が釣人の手に吸着してグリップ力が向上する。そして、濡れた手等でも釣り操作を円滑に為し得る。
発明４の釣竿は、発明３の釣竿であって、グリップ部は竿体の軸方向に伸びる弾性部材であり、グリップ部の吸着部分は軸方向に間隔を隔てて軸方向に直交する方向に並列する複数の屈曲自在な襞である。
【０００８】
釣人がこのグリップ部を強く把持すると、複数の襞が屈曲して襞と襞との間の空気を排出し、襞の間の空間が吸盤のように釣人の手に吸着する。
【０００９】
【発明の実施の形態】
［第１実施形態］
以下、本発明の第１実施形態について、図面を参照しつつ説明する。
本発明の第１実施形態を採用した釣竿は、筒状体である竿体を複数個連結して一本の釣竿となっており、最も手元側に大径の元竿１が配置され、順次、その穂先側に元上竿２，中竿３，穂先竿４と連結されている。各竿体は炭素繊維やガラス繊維にエポキシ樹脂等を含浸させてプリプレグ素材を焼成してなるものである。各竿体は、穂先側・竿元側端部にそれぞれ嵌合部と被嵌合部とを有し、いわゆる並継形式若しくは振出形式で連結される。元竿１の竿元側の周面にはリールを脱着時自在に装着可能なリールシート５が設けられており、また、各竿体の周面には軸方向に間隔を隔てて複数の釣糸ガイド６が配置されている。釣りを行う際には、リールシート５に装着したリールからの釣糸を順次各竿体の釣糸ガイドに挿通させて、穂先側へと釣糸を導くことになる。
【００１０】
図２に詳しく示すように、元竿１は、リールシート５付近の元竿１の周面に配置されるグリップ片１０と、竿元側端部周面に配置されるグリップ片１１とを有している。このリールシート５は、内部に竿体１が貫通して装着される合成樹脂または金属からなる変形筒状部材である。このリールシート５は、リールの脚部の一端を係止するための固定フードと、脚部を載置するための載置部と、軸方向に移動時材な移動フードとを有している。そして、固定フードと移動フードとでリールの脚部を挟み込みながらリールを元竿１に脱着自在に固定する。
【００１１】
また、このリールシート５の載置部の周方向に１２０〜１５０程度変位する位置に、図４に示すように、一対のグリップ片１０が装着されている。図２及び図３に示すように、グリップ片１０は、元竿１の軸方向に長く伸びる略小判型部材であって、例えば、ポリウレタンやＮＢＲなどの弾性を有する合成樹脂素材から形成されている。グリップ片１０は、その周縁に沿って側壁１０ａ部分が形成されると共に、長手方向（元竿１の軸方向）に間隔を隔てて配列され、この長手方向に直交する方向に並列する複数の屈曲自在な襞１０ｂを有している。この側壁部分１０ａと襞１０ｂとは同程度の高さを有しており、およそその高さは２〜５ｍｍ程度である。また、襞１０ｂは表面側から力を加えた際に長手方向の一方に傾いて倒れるように、長手方向の一方にやや傾いて起立している。
【００１２】
元竿１の竿元側端部の周面に配置されるグリップ片１１も、上述のグリップ片１０同様のものであり、説明は省略する。なお、このグリップ片１１は複数個を用意し、元竿１の竿元側端部の周面の任意の箇所に周方向に間隔を隔てて複数個を配置すればよい。
このような釣竿では、元竿１を以下のように把持して釣り操作を行う。まず、釣人は一方の手でリールシート５に取り付けたリールの脚部と共にリールシート５付近を一方の手で把持し、他方の手で元竿１の竿元側端部付近を把持する。そして、これらの部分の元竿１の周面に配置されているグリップ片１０，１１を握りしめることになる。例えば、グリップ片１０を釣人が握りしめた場合、その襞１０ｂがグリップ片１０の軸方向に倒れて襞１０ｂの間の空気を押し出し、襞１０ｂの間の空間が吸盤のように釣人の手に吸着する。そして、グリップ片１０のグリップ力が向上し、釣り操作も円滑になる。
【００１３】
［第２実施形態］
以下、本発明の第２実施形態について、図面を参照しつつ説明する。
本発明の第２実施形態を採用した釣竿も、上記第１実施形態と同様に、元竿１〜穂先竿４を順次連結して一本の釣竿となっている。図５に示すように、この元竿１のリールシート５付近には、リールシート５の載置面と周方向に１８０度変位する側の周面にグリップシート２０が装着されている。このグリップシート２０は、図６に示すように、幅方向（元竿１の周方向）に一定の幅を有し、リールシート５とほぼ同様程度の軸方向長さを有している。また、このグリップシート２０は上述の第１実施形態のグリップ片１０と同様にＮＢＲなどの弾性合成樹から形成されており、周面には複数の吸盤２０ａがランダムに配置されている。
【００１４】
吸盤２０ａはグリップシート２０のシート状部分と別個に形成されている。図７に拡大して示すように、グリップシート２０の周面側には複数の小孔が形成されており、この小孔に吸盤２０ａがはめ込まれて固定されている。吸盤２０ａは周面側に向かって起立しつつ頭部が円盤状の平面となるように広がっている小突起である。この円盤状の平面の中央付近が窪んで空間を形成している。一方、基端側には径外方向に突出する小さなフランジが形成されており、このフランジを上述の小孔に差し込むことで、吸盤２０ａがグリップシート２０にはめ込まれて固定されている。
【００１５】
なお、この実施形態では、グリップシート２０はリールシート５付近にのみ配置しているものの、上記第１実施形態と同様に、元竿１の竿元側端部付近にも別途グリップシートを配置してもよい。
このような釣竿でも、第１実施形態と同様に、釣人は一方の手でリールシート５に取り付けたリールの脚部と共にリールシート５付近を一方の手で把持し、他方の手で元竿１の竿元側端部付近を把持する。そして、これらの部分の元竿１の周面に配置されているグリップシート２０を握りしめることになる。グリップシート２０を把持すると、その周面に配置された吸盤２０ａが釣人の手に吸着する。即ち、釣人が吸盤２０ａを把持すると、吸盤２０ａの頭部の円盤状部分に形成された空間から空気が排気され、弾性を有する吸盤２０ａが釣人の手の平に吸着することになる。こうして、グリップシート２０のグリップ力が向上し、釣り操作も円滑になる。
【００１６】
［他の実施形態］
（ａ）上記第２実施形態におけるグリップシート２０に代えて、図８に示すようなグリップシート３０を用いてもよい。このグリップシート３０は、吸盤３０ａと一体的に形成されたものである。また、吸盤３０ａにはその内部に中空が形成されている。釣人がこの吸盤３０ａを強く握ると、中空から空気が排気され、吸盤３０ａが釣人の手に吸着する。
（ｂ）図９に示すような、グリップシート４０を採用することもできる。このグリップシート４０は、竿体の軸方向に長い略直方体型の弾性部材である。表面側に長手方向に間隔を隔てて複数の吸着孔４０ａが形成されており、背面側が元竿１のリールシート５の周方向反対側に装着される。この背面側は元竿１の周面の形状に合わせて幅方向中央が凹入するように湾曲している。吸着孔４０ａはグリップシート４０内において広がる空孔である。釣人がこのグリップシート４０を強く把持することで、吸着孔４０ａ内の空気が排気され、吸着孔４０ａが釣人の手に吸着する。
【００１７】
【発明の効果】
本発明にかかる釣竿によれば、グリップ部を十分に手にフィットさせて把持して釣りを行うことができ、釣竿の操作性も向上する。
【図面の簡単な説明】
【図１】本発明の第１実施形態を採用した釣竿の全体図。
【図２】図１の元竿１の竿元側部分の拡大図。
【図３】図２のグリップ片１０の拡大断面図。
【図４】図２のＩＶ−ＩＶ断面図。
【図５】本発明の第２実施形態を採用した釣竿のグリップシート２０の拡大図。
【図６】図５のＩＶ−ＩＶ断面図。
【図７】図５のグリップシート２０の部分拡大図。
【図８】本発明の他の実施形態を採用したグリップシート３０を示した図。
【図９】別の実施形態を採用したグリップシート４０を示した図。
【符号の説明】
１　元竿
５　リールシート
１０，１１　グリップ片
２０，３０，４０　グリップシート
【図１】
2004057035.tif 000003
【図２】
2004057035.tif 000004
【図３】
2004057035.tif 000005
【図４】
2004057035.tif 000006
【図５】
2004057035.tif 000007
【図６】
2004057035.tif 000008
【図７】
2004057035.tif 000009
【図８】
2004057035.tif 000010
【図９】
2004057035.tif 000011